(57)【要約】【課題】高圧直流送電システム上の低周波振動を感知し、感知された低周波振動を減衰する高圧直流送電システム及びその制御方法を実現する。【解決手段】高圧直流送電システムは、交流電力を直流電力に変換する整流装置と、前記直流電力を交流電力に変換するインバータと、前記整流装置で変換された直流電力を前記インバータに伝達する直流送電線路と、前記整流装置に入力される第１有効電力を測定する第１有効電力測定部と、前記インバータから出力される第２有効電力を測定する第２有効電力測定部と、前記測定された第１有効電力及び第２有効電力に基づいて前記直流送電線路上の異常電圧状態を検出する第１制御部と、を含み、前記第１制御部は前記高圧直流送電システムに発生した振動を感知し、前記感知された振動を減衰する制御信号を生成して前記整流装置及びインバータのうち一つ以上を制御する。【選択図】図３
2015220984.tif 000002
【特許請求の範囲】
【請求項１】
高圧直流送電システムにおいて、
交流電力を直流電力に変換する整流装置と、
前記直流電力を交流電力に変換するインバータと、
前記整流装置で変換された直流電力を前記インバータに伝達する直流送電線路と、
前記整流装置に入力される第１有効電力を測定する第１有効電力測定部と、
前記インバータから出力される第２有効電力を測定する第２有効電力測定部と、
前記測定された第１有効電力及び第２有効電力に基づいて前記整流装置及びインバータの動作を制御する第１制御部と、を含み、
前記第１制御部は前記高圧直流送電システムに発生した振動を感知し、前記感知された振動を減衰する制御信号を生成して前記整流装置及びインバータのうち一つ以上を制御する、
高圧直流送電システム。
【請求項２】
前記第１制御部は、
前記高圧直流送電システムに発生した振動を感知する振動感知部と、
前記感知された振動に基づいて前記発生した振動を減衰する前記制御信号を生成する減衰制御部と、
前記生成された制御信号を送出する出力部と、を含む、請求項１に記載の高圧直流送電システム。
【請求項３】
前記減衰制御部は、
前記制御信号生成の際に有効電力を制御する有効電力制御信号を生成する第１減衰制御部と、
前記制御信号生成の際に無効電力を制御する無効電力制御信号を生成する第２減衰制御部と、を含む、請求項２に記載の高圧直流送電システム。
【請求項４】
前記減衰制御部は、
前記有効電力制御信号及び前記無効電力制御信号のうち一つ以上に基づいて前記制御信号を生成する、請求項３に記載の高圧直流送電システム。
【請求項５】
前記第１制御部は、
前記感知された振動の周波数が予め設定された範囲内であるのかを判断し、
判断の結果、前記感知された振動の周波数が予め設定された範囲内であれば前記感知された振動を減衰する前記制御信号を生成する、請求項１に記載の高圧直流送電システム。
【請求項６】
前記第１有効電力測定部は、
前記整流装置に入力される交流電流と交流電圧を測定して前記第１有効電力を測定し、
前記第２有効電力測定部は、
前記インバータから出力される交流電流と交流電圧を測定して前記第２有効電力を測定する、請求項１に記載の高圧直流送電システム。
【請求項７】
前記第２有効電力測定部から測定された第２有効電力を伝達される第２制御部を更に含む、請求項１に記載の高圧直流送電システム。
【請求項８】
前記整流装置の電力変換過程で発生する高調波電流を除去する第１交流フィルタ及び前記インバータの電力変換過程で発生する高調波電流を除去する第２交流フィルタを更に含む、請求項１に記載の高圧直流送電システム。
【請求項９】
前記整流装置及び前記インバータそれぞれは、
サイリスタバルブ及び絶縁ゲートバイポーラトランジスタバルブのうちいずれか一つを含む、請求項１に記載の高圧直流送電システム。
【請求項１０】
前記整流装置に並列に連結され、前記整流装置から出力される直流電圧を平滑する第１キャパシタと、
前記インバータに並列に連結され、前記インバータに入力される直流電圧を平滑する第２キャパシタと、を更に含む、請求項１に記載の高圧直流送電システム。
【発明の詳細な説明】
【技術分野】
【０００１】
本発明は高圧直流送電システム及びその制御方法に関するものであり、より詳しくは、高圧直流送電で発生する振動を減衰する高圧直流送電システム及びその制御方法に関するものである。
【背景技術】
【０００２】
高圧直流送電（ＨＩＧＨ  ＶＯＬＴＡＧＥ  ＤＩＲＥＣＴ  ＣＵＲＲＥＮＴ，ＨＶＤＣ）とは、送電所が発電所で生産される交流電力を直流に変換させて送電した後、受電所で交流に再変換して電力を供給する送電方式をいう。
【０００３】
ＨＶＤＣシステムは海底ケーブル送電、大容量長距離送電、交流系統間連携などに適用される。また、ＨＶＤＣシステムは互いに異なる周波数系統連携及び非同期（ａｓｙｎｃｈｒｏｎｉｓｍ）連携を可能にする。
【０００４】
送電所は交流電力を直流電力に変換する。即ち、交流電力を海底ケーブルなどを利用して伝送する情況は非常に危ないため、送電所は交流電量を直流電力に変換して受電所に伝送する。
【０００５】
一方、ＨＶＤＣシステムではＨＶＤＣシステムに含まれた３相系統の交流発電機の動作に応じて機械的ねじり振動（Ｍｅｃｈａｎｉｃａｌ  Ｔｏｒｓｉｏｎａｌ  Ｏｓｃｉｌｌａｔｉｏｎ）が発生する。
【０００６】
このような機械的ねじり振動を含む低周波振動がＨＶＤＣシステム上で消えずに維持されるか増幅さえると、ＨＶＤＣシステムの電力系統の安定度に深刻な影響を及ぼす恐れがある。
【０００７】
よって、ＨＶＤＣシステムで発生する低周波振動を減衰する必要がある。
【発明の概要】
【発明が解決しようとする課題】
【０００８】
本発明は高圧直流送電システム上の低周波振動を感知し、感知された低周波振動を減衰する高圧直流送電システム及びその制御方法の提供を目的とする。
【課題を解決するための手段】
【０００９】
本発明の実施例による高圧直流送電システムは、交流電力を直流電力に変換する整流装置と、前記直流電力を交流電力に変換するインバータと、前記整流装置で変換された直流電力を前記インバータに伝達する直流送電線路と、前記整流装置に入力される第１有効電力を測定する第１有効電力測定部と、前記インバータから出力される第２有効電力を測定する第２有効電力測定部と、前記測定された第１有効電力及び第２有効電力に基づいて前記直流送電線路上の異常電圧状態を検出する第１制御部と、を含み、前記第１制御部は前記高圧直流送電システムに発生した振動を感知し、前記感知された振動を減衰する制御信号を生成して前記整流装置及びインバータのうち一つ以上を制御する。
【００１０】
前記第１制御部は前記高圧直流送電システムに発生した振動を感知する振動感知部と、前記感知された振動に基づいて前記発生した振動を減衰する前記制御信号を生成する減衰制御部と、前記生成された制御信号を送出する出力部と、を含む。
【００１１】
前記減衰制御部は前記制御信号生成の際に有効電力を制御する有効電力制御信号を生成する第１減衰制御部と、前記制御信号生成の際に無効電力を制御する無効電力制御信号を生成する第２減衰制御部と、を含む。
【００１２】
前記減衰制御部は前記有効電力制御信号及び前記無効電力制御信号のうち一つ以上に基づいて前記制御信号を生成する。
【００１３】
前記第１制御部は前記感知された振動の周波数が予め設定された範囲内であるのかを判断し、判断の結果、前記感知された振動の周波数が予め設定された範囲内であれば前記感知された振動を減衰する前記制御信号を生成する。
【００１４】
前記第１有効電力測定部は前記整流装置に入力される交流電流と交流電圧を測定して前記第１有効電力を測定し、前記第２有効電力測定部は前記インバータから出力される交流電流と交流電圧を測定して前記第２有効電力を測定する。
【００１５】
前記高圧直流送電システムは前記第２有効電力測定部から測定された第２有効電力を伝達される第２制御部を更に含む。
【００１６】
前記高圧直流送電システムは、前記整流装置の電力変換過程で発生する高調波電流を除去する第１交流フィルタ及び前記インバータの電力変換過程で発生する高調波電流を除去する第２交流フィルタを更に含む。
【００１７】
前記整流装置及び前記インバータそれぞれはサイリスタバルブ及び絶縁ゲートバイポーラトランジスタバルブのうちいずれか一つを含む。
【００１８】
前記高圧直流送電システムは前記整流装置に並列に連結され、前記整流装置から出力される直流電圧を平滑する第１キャパシタ及び前記インバータに並列に連結され、前記インバータに入力される直流電圧を平滑する第２キャパシタを更に含む。
【発明の効果】
【００１９】
本発明の多様な実施例によると、高圧直流送電システム上で発生する低周波振動を減衰することができる。
【００２０】
また、本発明によると無効電力制御信号に基づいて低周波振動を減衰することができるため、有効電力送電操作を阻害しない。
【図面の簡単な説明】
【００２１】
【図１】本発明の一実施例による高圧直流送電システムの構成を説明するための図である。
【図２】本発明の一実施例による高圧直流送電システムの実際の構成を説明するための図である。
【図３】本発明の一実施例による高圧直流送電システムの制御部の構成を説明するための構成ブロック図である。
【図４】本発明の他の実施例による高圧直流送電システムの制御部の構成を説明するための構成ブロック図である。
【図５】本発明の一実施例による高圧直流送電システムの制御方法を説明するためのフローチャートである。
【発明を実施するための形態】
【００２２】
以下、本発明に関する実施例について図面を参照してより詳細に説明する。以下に説明で使用される構成要素に対する接尾詞「パート」、「モジュール」及び「部」は明細書作成の容易性のみが考慮されて付与されるか混用されるものであって、それ自体として互いに区別される意味又は役割を有することはない。
【００２３】
本発明の利点及びその特徴、そしてそれらを達成する方法は、添付した図面と共に詳細に後述されている実施例を参照すると明確になるはずである。しかし、本発明は以下で開示される実施例に限らず互いに異なる多様な形態に具現されてもよいが、但し、本実施例は本発明の開示が完全になるようにし、本発明の属する技術分野における通常の知識を有する者に発明の範疇を完全に知らせるために提供されるものであって、本発明は請求項の範疇によって定義されるのみである。明細書全体にわたって、同じ参照符号は同じ構成要素を指す。
【００２４】
本発明の実施例を説明するに当たって、関連する公知機能又は構成に対する具体的な説明が本発明の要旨を不明確にする恐れがあると判断される場合、その詳細な説明を省略する。そして、後述する用語は本発明の実施例における機能を考慮して定義された用語であって、これはユーザ、運用者の意図又は慣例などによって異なり得る。よって、その定義は本明細書全般にわたる内容に基づいて下されるべきである。
【００２５】
添付した図面の各ブロックとフローチャートの各ステップの組み合わせはコンピュータプログラムインストラクションによって行われてもよい。これらのコンピュータプログラムインストラクションは汎用コンピュータ、特殊用コンピュータ又はその他のプログラム可能なデータプロセッシング装備のプロセッサに搭載可能であるため、コンピュータ又はその他のプログラム可能なデータプロセッシング装備のプロセッサを介して行われるそのインストラクションが図面の各ブロック又はフローチャートの各ステップで説明された機能を行う手段を生成するようになる。これらのコンピュータプログラムインストラクションは特定方式に機能を具現するためにコンピュータ又はその他のプログラム可能なデータプロセッシング装備の指向するコンピュータで利用可能な又はコンピュータで判読可能なメモリに貯蔵されることもできるため、そのコンピュータで利用可能な又はコンピュータで判読可能なメモリに貯蔵されたインストラクションは図面の各ブロック又はフローチャートの各ステップで説明された機能を行うインストラクション手段を内包する製造品目を生産することもできる。コンピュータプログラムインストラクションはコンピュータ又はその他のプログラム可能なデータプロセッシング装備上に搭載することもできるため、コンピュータ又はその他のプログラム可能なデータプロセッシング装備上で一連の動作ステップが行われてコンピュータで実行されるプロセスを生成してコンピュータ又はその他のプログラム可能なデータプロセッシング装備を行うインストラクションは図面の各ブロック又はフローチャートの各ステップで説明された機能を行うためのステップを提供することもできる。
【００２６】
また、各ブロック又は各ステップは特定の論理的機能を実行するための一つ以上の実行可能なインストラクションを含むモジュール、セグメント又はコードの一部を示す。また、いくつかの代替実施例ではブロック又はステップで言及した機能が順番を逸脱して発生することもできることに注目すべきである。例えば、引き続き図示されている２つのブロック又はステップは実は実質的に同時に行われてもよく、或いはそのブロック又はステップが時々当たる機能に応じて逆順に行われてもよい。
【００２７】
図１は、本発明の一実施例による高圧直流送電システムの構成を説明するための図である。
【００２８】
本発明に実施例による高圧直流送電システム１はサイリスタ型ＨＶＤＣシステム及び電圧型ＨＶＤＣシステムのうちいずれか一つのシステムである。サイリスタ型ＨＶＤＣシステムは整流装置としてサイリスタバルブを使用する電流型ＨＶＤＣシステムであり、電圧型ＨＶＤＣシステムはＩＧＢＴ素子を利用するシステムである。
【００２９】
サイリスタ型ＨＶＤＣシステムはサイリスタバルブを整流するために発電機や同期調相機などのような回転機器がインバータ側の系統に必要であり、無効電力を補償するためのキャパシタバンクが整流装置やインバータ側の系統に含まれる。
【００３０】
電圧型ＨＶＤＣシステムは高速スイッチングを介して高調波を大幅に減少するため高調波を除去するための高調波フィルタの大きさが小さく、無効電力供給が必要ではない。また、電圧型ＨＶＤＣシステムは独立的に有効電力及び無効電力を制御する。
【００３１】
図１を参照すると、本発明の実施例による高圧直流伝送システム１は第１電力変換装置１０及び第２電力変換装置２０を含む。
【００３２】
第１電力変換装置１０は交流電力供給装置１１、第１変圧器１２、整流装置１３、冷却装置１４及び第１制御部１５を含む。
【００３３】
交流電力供給装置１１は交流電力を生産し第１変圧器１２に伝達する。一実施例において、交流電力供給装置１１は風力発電所などのように電力を生産し供給する発電所である。
【００３４】
第１変圧器１２は交流電力供給装置１１から伝達された交流電力の交流電圧の大きさを上げて高電圧を有する交流電力に変換する。
【００３５】
整流装置１３は第１トラスフォーマ１２から変換された高圧の交流電力を直流電力に変換する。
【００３６】
冷却装置１４は整流装置１３で発生する熱を冷却する。詳しくは、冷却装置１４は整流装置１３及びそれに関する部品によって発生した熱を冷却水を循環して冷却する。
【００３７】
第１制御部１５は第１電力変換装置１０の全般的な動作を制御する。
【００３８】
詳しくは、第１制御部１５は第１電力変換装置１０のある端子に対する交流電力の大きさ、交流電力の位相、有効電力、無効電力などを制御する。
【００３９】
第１制御部１５は高圧直流送電システム１に発生した振動を感知し、感知した振動に基づいて低周波振動を減衰する制御信号を生成して、生成された制御信号に基づいて第１電力変換装置１０の動作を制御する。
【００４０】
整流装置１３を介して変換された直流電力はＤＣラインを介して第２電力変換装置２０に伝達される。
【００４１】
第２電力変換装置２０はインバータ２１、第２変圧器２２、交流電力需給装置２３、冷却装置２４及び第２制御部２５を含む。
【００４２】
インバータ２１は第１電力変換装置１０からＤＣラインを介して伝達された直流電力を交流電力に変換する。
【００４３】
第２変圧器２２はインバータ２１から変換された交流電力を低圧の交流電力に変換する。
【００４４】
交流電力需給装置２３は第２変圧器２３から低圧の交流電力を受信する。
【００４５】
冷却装置２４はインバータ２１から発生した熱を冷却する。
【００４６】
第２制御部２５は第２変換装置２０の全般的な構成を制御する。
【００４７】
詳しくは、第２制御部２５は第２電力変換装置２０のいずれか一つの端子に対する交流電力の大きさ、交流電力の位相、有効電力、無効電力などを制御する。
【００４８】
また、第２制御部２５は高圧直流送電システム１に発生した振動を感知し、感知した振動に基づいて低周波振動を減衰する制御信号を生成して、生成した制御信号に基づいて第２電力変換装置２０の動作を制御する。
【００４９】
図２は、本発明の一実施例による高圧直流送電システムの実際の構成を説明するための図である。
【００５０】
図２を参照すると、本発明の一実施例による高圧直流送電システム１は第１電力変換装置１０及び第２電力変換装置２０を含む。
【００５１】
第１電力変換装置１０は交流電力を直流電力に変換して第２電力変換装置２０に提供し、第２電力変換装置２０は第１電力変換装置１０から伝達された直流電力を交流電力に変換する。
【００５２】
第１電力変換装置１０及び第２電力変換装置２０は正極の直流送電線路Ｗ１，Ｗ２によって接続される。直流送電線路Ｗ１，Ｗ２は第１電力変換装置１０が出力する直流電流又は直流電圧を第２電力変換装置２０に伝達する。
【００５３】
直流送電線路Ｗ１，Ｗ２は架空線路（ｏｖｅｒｈｅａｄ  ｌｉｎｅ）、ケーブルのうちいずれか一つであってもよく、それらの組み合わせで構成されてもよい。
【００５４】
第１電力変換装置１０は交流電力供給装置１１、第１交流フィルタ１６、第１インダクタ１７、整流装置１３、第１キャパシタＣ１、第１測定部Ｍ１、第２測定部Ｍ３、第３測定部Ｍ７、第１制御部１５を含む。
【００５５】
交流電力供給装置１１は交流電力を生成し整流装置１３に伝達する。交流電力供給装置１１は風力発電所などのように電力を生産し供給する発電所である。
【００５６】
交流電力供給装置１１は３相交流電力を整流装置１３に伝達する。
【００５７】
第１交流フィルタ１６は交流電力供給装置１１及び整流装置１３との間に配置される。第１交流フィルタ１６は整流装置１３が交流電力を直流電力に変換する過程で発生する電流高調波を除去する。即ち、第１交流フィルタ１６は電流高調波を除去して交流電力供給装置１１に電流高調波が入ることを遮断する。一実施例において、第１交流フィルタ１６はキャパシタ、インダクタ及び抵抗を含む共振回路を含む。
【００５８】
また、第１交流フィルタ１６は整流装置１３で消費される無効電力を供給する。
【００５９】
第１インダクタ１７は第１交流フィルタ１６及び整流装置１３の間に配置される。
【００６０】
第１インダクタ１７は第１交流フィルタ１６を介して電流高周波が除去された交流電流を整流装置１３に伝達する。
【００６１】
第１インダクタ１７は第１交流フィルタ１６を介して電流高周波が除去された交流電流の位相を調節する位相インダクタである。
【００６２】
整流装置１３は交流電力供給装置１１、詳しくは、第１インダクタ１７から伝達された交流電力を直流電力に変換する。
【００６３】
整流装置１３は交流電力を直流電力に変換する半導体バルブである。一実施例において、半導体バルブはサイリスタバルブ（Ｔｈｙｒｉｓｔｏｒ  ｖａｌｖｅ）又はＩＧＢＴバルブのうちいずれか一つである。
【００６４】
第１キャパシタＣ１は整流装置１３に並列に連結され、整流装置１３から出力された電圧を平滑する平滑用キャパシタである。
【００６５】
第１測定部Ｍ１は交流電力供給装置１１が供給する交流電圧ＵＬ１を測定して第１制御部１５に伝達する。
【００６６】
第１測定部Ｍ１は交流電力供給装置１１と第１交流フィルタ１６との間の一地点に対する交流電圧ＵＬ１を測定して第１制御部１５に伝達する。以下、交流電力供給装置１１と第１交流フィルタ１６との間の一地点に対して測定された交流電圧ＵＬ１をバス電圧ＵＬ１と称する。
【００６７】
第２測定部Ｍ３は第１インダクタ１７の出力端又は整流装置１３に入力される交流電流ＩＶ１又は交流電圧ＵＶ１を測定して第１制御部１５に伝達する。以下、第１インダクタ１７の出力端又は整流装置１３に入力される交流電圧ＵＶ１をブリッジ電圧ＵＶ１と称する。
【００６８】
第３測定部Ｍ７は第１キャパシタＣ１の両端にかかる直流電圧Ｕｄ１を測定して第１制御部１５に伝達する。
【００６９】
第１制御部１５は第１電力変換装置１０の動作を全般的に制御する。
【００７０】
第１制御部１５は第１測定部Ｍ１からバス電圧ＵＬ１、第２測定部Ｍ３から伝達された整流装置１３に入力される交流電流ＩＶ１及び第３測定部Ｍ７から伝達された第１キャパシタＣ１の両端にかかる直流電圧Ｕｄ１に基づいて整流装置１３の動作を制御する。
【００７１】
もし整流装置１３がＩＧＢＴバルブ型であれば、第１制御部１５は第１測定部Ｍ１から伝達されたバス電圧ＵＬ１、第２測定部Ｍ３から伝達された整流装置１３に入力される交流電流ＩＶ１及び第３測定部Ｍ７から伝達された第１キャパシタＣ１の両端にかかる直流電圧Ｕｄ１に基づいてターンオン信号又はターンオフ信号を整流装置１３に伝達して整流装置１３の動作を制御する。前記ターンオン信号又はターンオフ信号によって交流電力から直流電力への変換が制御される。
【００７２】
また、第１制御部１５は直流送電線路Ｗ１，Ｗ２から発生する異常電圧状態に基づいて位相変更命令信号を生成し、生成された位相変更命令信号に応じてブリッジ電圧ＵＶ１及びバス電圧ＵＬ１間の位相差を調節する。
【００７３】
詳しくは、第１制御部１５は直流送電線路Ｗ１の一地点で測定された直流電圧（例えば、第１キャパシタＣ１の両端にかかる直流電圧Ｕｄ１）が一定時間の間に基準値を超過する場合、直流送電線路に異常電圧が発生したと確認する。
【００７４】
第１制御部１５は直流送電線路に異常電圧が発生したと確認される場合、位相変更命令信号を生成してブリッジ電圧ＵＶ１及びバス電圧ＵＬ１間の位相差を調節する。
【００７５】
第１制御部１５はブリッジ電圧ＵＶ１及びバス電圧ＵＬ１間の位相差を調節して整流装置１３で変換される直流電圧を調節し、それに応じて直流送電線路上で直流電圧が急増することが防止される。
【００７６】
また、第１制御部１５は高圧直流送電システム１で発生した振動を感知し、感知した振動に基づいて低周波振動を減衰する制御信号を生成して、生成された制御信号に基づいて第１電力変換装置１０の動作を制御する。
【００７７】
詳しくは、図３を参照して第１制御部１５の低周波振動減衰動作を説明する。
【００７８】
図３を参照すると、第１制御部１５は振動感知部１１０、減衰制御部１３０、信号出力部１５０を含む。
【００７９】
振動感知部１１０は高圧直流送電システム１に発生した振動を感知する。
【００８０】
振動感知部１１０は振動を感知するセンサを含んでいるため高圧直流送電システム１に発生した振動を感知し、感知された振動の周波数を測定する。
【００８１】
減衰制御部１３０は感知された振動に基づいて低周波振動を減衰する制御信号を生成する。
【００８２】
詳しくは、減衰制御部１３０は感知された振動の周波数が予め設定された範囲内であるのかを判断し、判断の結果、感知された振動の周波数が予め設定された範囲内に当たれば感知された振動に基づいて低周波振動を減衰する制御信号を生成する。
【００８３】
そして、制御信号は有効電力を制御する有効電力制御信号と無効電力を制御する無効電力制御信号を含む。
【００８４】
一方、図４を参照すると減衰制御部１３０は第１減衰制御部１３１、第２減衰制御部１３２を含む。
【００８５】
第１減衰制御部１３１は制御信号を生成する際に有効電力を制御する有効電力制御信号を生成する。
【００８６】
第２減衰制御部１３２は制御信号を生成する際に無効電力を制御する無効電力制御信号を生成する。
【００８７】
よって、減衰制御部１３０は第１減衰制御部１３１を介して有効電力制御信号を生成し第２減衰制御部１３２を介して無効電力制御信号を生成するため、それぞれ生成された有効電力制御信号、無効電力制御信号のうちいずれか一つ以上に基づいて第１電力変換装置１０の動作を制御する。
【００８８】
更に図３を参照する。
【００８９】
信号出力部１５０は生成された制御信号を連携されたそれぞれの装置に伝達する。
【００９０】
詳しくは、信号出力部１５０は減衰制御部１３０で生成された制御信号を連携された装置である交流電力供給装置１１、第１変圧器１２、整流装置１３、冷却装置１４のうちいずれか一つ以上に伝達し、それぞれの装置が動作するようにする。
【００９１】
また、信号出力部１５０は生成された制御信号を変換してそれぞれの装置に伝達してもよい。
【００９２】
例えば、信号出力部１５０は連携された装置である交流電力供給装置１１、第１変圧器１２、整流装置１３、冷却装置１４それぞれに適合するように制御信号を変換してそれぞれの装置に伝達する。
更に図２を参照する。
【００９３】
第２電力変換装置２０はインバータ２１、第２キャパシタＣ２、第２インダクタ２７、第２交流フィルタ２６、交流電力需給装置２３、第４測定部Ｍ８、第５測定部Ｍ６、第６測定部Ｍ４、第２制御部２５を含む。
【００９４】
インバータ２１は整流装置１３から伝達された直流電力を交流電力に変換する半導体バルブである。一実施例において、半導体バルブはサイリスタバルブ又はＩＧＢＴバルブのうちいずれか一つである。
【００９５】
インバータ２１は直流送電線路Ｗ１，Ｗ２を介してインバータ２１から直流電流又は直流電圧を伝達され、伝達された直流電流又は直流電圧を交流電流又は交流電圧に変換する。
【００９６】
第２キャパシタＣ２はインバータ２１に並列に連結され、インバータ２１に入力される直流電圧を平滑する平滑用キャパシタである。
【００９７】
第２インダクタ２７はインバータ２１と第２交流フィルタ２６との間に配置される。第２インダクタ２７はインバータ２１から出力された交流電力を交流伝電力需給装置２３に伝達する。第２インダクタ２７は交流電流の位相を調節する位相インダクタである。
【００９８】
第２交流フィルタ２６は第２インダクタ２７及び交流電力需給装置２３との間に配置される。第２交流フィルタ２６はインバータ２１が直流電力を交流電力に変換する過程で発生する電流高調波を除去する。即ち、第２交流フィルタ２６は電流高調波を除去して交流電力需給装置２３に電流高調波が入ることを遮断する。一実施例において、第２交流フィルタ２６はキャパシタ、インダクタ及び抵抗を含む共振回路を含む。
【００９９】
また、第２交流フィルタ２６はインバータ２１で消費される無効電力を供給してもよい。
【０１００】
交流電力需給装置２３は第２交流フィルタ２６を介して高調波が除去された交流電力を伝達される。
【０１０１】
第４測定部Ｍ８は第２キャパシタＣ２の両端にかかる直流電圧Ｕｄ２を測定して第２制御部２５に伝達する。
【０１０２】
第５測定部Ｍ６は第２インダクタ２７の入力端又はインバータ２１から出力される交流電流ＩＶ２又は交流電圧ＵＶ２を測定して第２制御部２５に伝達する。以下、第２インダクタ２７の出力端又はインバータ２１から出力される交流電圧ＵＶ２をブリッジ電圧ＵＶ２と称する。
【０１０３】
第６測定部Ｍ４は交流電力需給装置２３が需給する交流電圧ＵＬ２を測定して第２制御部２５に伝達する。第６測定部Ｍ４は交流電力需給装置２３と第２交流フィルタ２６との間の一地点に対する交流電圧ＵＬ２を測定して第２制御部２５に伝達する。以下、交流電力需給装置２３と第２交流フィルタ２６との間の一地点に対して測定された交流電圧ＵＬ２をバス電圧ＵＬ２と称する。
【０１０４】
第２制御部２５は第２電力変換装置２０の動作を全般的に制御する。
【０１０５】
第２制御部２５は第６測定部Ｍ４からバス電圧ＵＬ２、第５測定部Ｍ６から伝達されたインバータ２１から出力される交流電流ＩＶ２及び第６測定部Ｍ４から伝達された第２キャパシタＣ２の両端にかかる電圧である直流電圧Ｕｄ２に基づいてインバータ２１の動作を制御する。
【０１０６】
もしインバータ２１がＩＧＢＴバルブ型であれば、第２制御部２５は第６測定部Ｍ４から伝達されたバス電圧ＵＬ２、第５測定部Ｍ６から伝達されたインバータ２１から出力される交流電流ＩＶ２及び第４測定部Ｍ８から伝達された第２キャパシタＣ２の両端にかかる電圧である直流電圧Ｕｄ２に基づいてターンオン信号又はターンオフ信号をインバータ２１に伝達してインバータ２１の動作を制御する。前記ターンオン信号又はターンオフ信号によって直流電力から交流電力への変換が制御される。
【０１０７】
また、第２制御部２５は直流送電線路Ｗ１，Ｗ２から発生する異常電圧状態に基づいて位相変更命令信号を生成し、生成された位相変更命令信号に応じてブリッジ電圧ＵＶ２及びバス電圧ＵＬ２間の位相差を調節する。
【０１０８】
詳しくは、第２制御部２５は直流送電線路Ｗ１の一地点で測定された直流電圧（例えば、第２キャパシタＣ２の両端にかかる直流電圧Ｕｄ２）が一定時間の間に基準値を超過する場合、直流送電線路に異常電圧が発生したと確認する。
【０１０９】
第２制御部２５は直流送電線路に異常電圧が発生したと確認される場合、位相変更命令信号を生成してブリッジ電圧ＵＶ２及びバス電圧ＵＬ２間の位相差を調節する。
【０１１０】
また、第２制御部２５は高圧直流送電システム１に発生した振動を感知し、感知した信号に基づいて低周波振動を減衰する制御信号を生成して、生成された制御信号に基づいて第２電力変換装置２０の動作を制御する。
【０１１１】
詳しくは、図３を参照して第２制御部２５の低周波振動減衰動作を説明する。
【０１１２】
図３を参照すると、第２制御部２５は振動感知部１１０、減衰制御部１３０、振動出力部１５０を含む。
【０１１３】
振動感知部１１０は高圧直流送電システム１に発生した振動を感知する。
【０１１４】
振動感知部１１０は振動を感知するセンサを含んでいるため高圧直流送電システム１に発生した振動を感知し、感知された振動の周波数を測定する。
【０１１５】
減衰制御部１３０は感知された振動に基づいて低周波振動を減衰する制御信号を生成する。
【０１１６】
詳しくは、減衰制御部１３０は感知された振動の周波数が予め設定された範囲内であるのかを判断し、判断の結果、感知された振動の周波数が予め設定された範囲内に当たれば感知された振動に基づいて低周波振動を減衰する制御信号を生成する。
【０１１７】
そして、制御信号は有効電力を制御する有効電力制御信号と無効電力を制御する無効電力制御信号を含む。
【０１１８】
一方、図４を参照すると減衰制御部１３０は第１減衰制御部１３１、第２減衰制御部１３２を含む。
【０１１９】
第１減衰制御部１３１は制御信号を生成する際に有効電力を制御する有効電力制御信号を生成する。
【０１２０】
第２減衰制御部１３２は制御信号を生成する際に無効電力を制御する無効電力制御信号を生成する。
【０１２１】
よって、減衰制御部１３０は第１減衰制御部１３１を介して有効電力制御信号を生成し第２減衰制御部１３２を介して無効電力制御信号を生成するため、それぞれ生成された有効電力制御信号、無効電力制御信号のうちいずれか一つ以上に基づいて第２電力変換装置２０の動作を制御する。
【０１２２】
更に図３を参照する。
【０１２３】
信号出力部１５０は生成された制御信号を連携されたそれぞれの装置に伝達する。
【０１２４】
詳しくは、信号出力部１５０は減衰制御部１３０で生成された制御信号を連携された装置である交流電力需給装置２３、第２変圧器２２、インバータ２１、冷却装置２４のうちいずれか一つ以上に伝達し、それぞれの装置が動作するようにする。
【０１２５】
また、信号出力部１５０は生成された制御信号を変換してそれぞれの装置に伝達してもよい。
【０１２６】
例えば、信号出力部１５０は連携された装置である交流電力需給装置２３、第１変圧器２２、インバータ２１、冷却装置２４それぞれに適合するように制御信号を変換してそれぞれの装置に伝達する。
【０１２７】
図５を参照して、本発明の一実施例による高圧直流送電システムの制御方法を説明する。
【０１２８】
図５は、本発明の一実施例による高圧直流送電システムの制御方法を説明するためのフローチャートである。
【０１２９】
以下で本発明の一実施例による高圧直流送電システムの制御方法を図１〜図４の内容に結び付けて説明する。
【０１３０】
まず、第１電力変換装置１０の制御方法を説明する。
【０１３１】
第１制御部１５の振動感知部１１０は高圧直流送電システム１から発生した振動を感知するＳ１１０。
【０１３２】
振動感知部１１０は高圧直流送電システム１に発生した振動を感知し、感知された振動の周波数を測定する。
【０１３３】
例えば、振動感知部１１０は交流電力供給装置１１に含まれた交流発電機から発生した機械的ねじり振動を感知する。
【０１３４】
振動感知部１１０は感知された振動に対する情報を減衰制御部１３０に伝達する。
【０１３５】
第１制御部１５の減衰制御部１３０は感知された振動が予め設定された範囲内であるのかを判断するＳ１３０。
【０１３６】
減衰制御部１３０は感知された振動の周波数が予め設定された範囲内に当たるのかを判断する。
【０１３７】
例えば、減衰制御部１３０は感知された振動の周波数が予め設定された範囲内である０．１Ｈｚ〜２．０Ｈｚ内に当たれば感知された振動が低周波振動であると判断する。ここで、予め設定された範囲内である０．１Ｈｚ〜２．０Ｈｚは説明のための例示であり、ユーザ又は設計者の選択に応じて多様に設定される。
【０１３８】
第１制御部１５の減衰制御部１３０は感知された振動が予め設定された範囲内に当たれば、感知された振動に基づいて制御信号を生成するＳ１５０。
【０１３９】
減衰制御部１３０はＳ１３０での判断の結果、感知された振動が予め設定された範囲内に当たれば、感知された振動に基づいて低周波振動を減衰する制御信号を生成する。
【０１４０】
詳しくは、減衰制御部１３０は感知された振動に基づいて低周波振動を減衰する有効電力制御信号、無効電力制御信号のうち一つ以上を生成する。
【０１４１】
それによって第１減衰制御部１３１は感知された振動に基づいて有効電力を制御する有効電力制御信号を生成し、第２減衰制御部１３２は感知された振動に基づいて無効電力を制御する無効電力制御信号を生成する。
【０１４２】
減衰制御部１３０で生成された制御信号は信号出力部１５０に伝達される。
【０１４３】
第１制御部１５の信号出力部１５０は生成された制御信号に基づいて連携された装置を動作するＳ１７０。
【０１４４】
信号出力部１５０は生成された制御信号を変換して連携されたそれぞれの装置である交流電力供給装置１１、第１変圧器１２、整流装置１３、冷却装置１４のうちいずれか一つ以上に伝達してそれぞれの装置が動作するようにする。
【０１４５】
例えば、信号出力部１５０は連携された装置である交流電力供給装置１１、第１変圧器１２、整流装置１３、冷却装置１４それぞれに適合するように制御信号を変換してそれぞれの装置に伝達する。
【０１４６】
それによって、制御信号を伝達されたそれぞれの装置は低周波振動を減衰する制御信号に基づいてそれぞれ動作する。
【０１４７】
よって、高圧直流送電システム１に発生する低周波振動を減衰することができる。
【０１４８】
次に、第２電力変換装置２０の制御方法を説明する。
【０１４９】
第２制御部２５の振動感知部１１０は高圧直流送電システム１に発生した振動を感知するＳ１１０。
【０１５０】
振動感知部１１０は高圧直流送電システム１に発生した振動を感知し、感知された振動の周波数を測定する。
【０１５１】
例えば、振動感知部１１０は交流電力需給装置２３に含まれた交流発電機から発生した機械的ねじり振動を感知する。
【０１５２】
振動感知部１１０は感知された振動に対する情報を減衰制御部１３０に伝達する。
【０１５３】
第１制御部２５の減衰制御部１３０は感知された振動が予め設定された範囲内であるのかを判断するＳ１３０。
【０１５４】
減衰制御部１３０は感知された振動の周波数が予め設定された範囲内に当たるのかを判断する。
【０１５５】
例えば、減衰制御部１３０は感知された振動の周波数が予め設定された範囲内である０．１Ｈｚ〜２．０Ｈｚ内に当たれば感知された振動が低周波振動であると判断する。ここで、予め設定された範囲内である０．１Ｈｚ〜２．０Ｈｚは説明のための例示であり、ユーザ又は設計者の選択に応じて多様に設定される。
【０１５６】
第２制御部２５の減衰制御部１３０は感知された振動が予め設定された範囲内に当たれば、感知された振動に基づいて制御信号を生成するＳ１５０。
【０１５７】
減衰制御部１３０はＳ１３０での判断の結果、感知された振動が予め設定された範囲内に当たれば、感知された振動に基づいて低周波振動を減衰する制御信号を生成する。
【０１５８】
詳しくは、減衰制御部１３０は感知された振動に基づいて低周波振動を減衰する有効電力制御信号、無効電力制御信号のうち一つ以上を生成する。
【０１５９】
それによって第１減衰制御部１３１は感知された振動に基づいて有効電力を制御する有効電力制御信号を生成し、第２減衰制御部１３２は感知された振動に基づいて無効電力を制御する無効電力制御信号を生成する。
【０１６０】
減衰制御部１３０で生成された制御信号は信号出力部１５０に伝達される。
【０１６１】
第２制御部２５の信号出力部１５０は生成された制御信号に基づいて連携された装置を動作するＳ１７０。
【０１６２】
信号出力部１５０は生成された制御信号を変換して連携されたそれぞれの装置である交流電力供給装置１１、第１変圧器１２、整流装置１３、冷却装置１４のうちいずれか一つ以上に伝達してそれぞれの装置が動作するようにする。
【０１６３】
例えば、信号出力部１５０は連携された装置である交流電力需給装置２３、第２変圧器２２、インバータ２１、冷却装置２４それぞれに適合するように制御信号を変換してそれぞれの装置に伝達する。
【０１６４】
それによって、制御信号を伝達されたそれぞれの装置は低周波振動を減衰する制御信号に基づいてそれぞれ動作する。
【０１６５】
よって、高圧直流送電システム１に発生する低周波振動を減衰することができる。
【０１６６】
本発明の多様な実施例による高圧直流送電システム上の制御方法によると、高圧直流送電システム１上で発生する低周波振動を減衰することができる。
【０１６７】
また、本発明によると無効電力制御信号に基づいて低周波振動を減衰することができるため、有効電力送電操作を阻害しない。
【０１６８】
本発明の一実施例によると、上述した方法はプログラムが記録された媒体にプロセッサが読み込めるコードとして具現することができる。プロセッサが読み込める媒体の例としてはＲＯＭ，ＲＡＭ，ＣＤ−ＲＯＭ，磁気テープ、フロッピディスク、光データ貯蔵装置などがあり、キャリアウェーブ（例えば、インターネットを介した伝送）の形で具現されることも含む。
【０１６９】
前記のように記載された実施例は説明された構成と方法が限られて適用されるのではなく、実施例は多様な変更が行われるように各実施例の全部又は一部が選択的に組み合わせられて構成されてもよい。
【０１７０】
また、前記では本発明の好ましい実施例について図示し説明したが、本発明が上述した特定の実施例に限ることはなく、特許請求の範囲で請求する本発明の要旨を逸脱することなく該当発明が属する技術分野における通常の知識を有する者によって多様な変形実施が可能であることはもちろんである。また、このような変形実施は本発明の技術的思想や展望から個別的に理解されてはならない。
【符号の説明】
【０１７１】
１    高圧直流伝送システム
１０    第１電力変換装置
１１    交流電力供給装置
１２    第１変圧器
１３    整流装置
１４    冷却装置
１５    第１制御部
１６    第１交流フィルタ
１７    第１インダクタ
２０    第２電力変換装置
２１    インバータ
２２    第２変圧器
２３    交流電力需給装置
２４    冷却装置
２５    第２制御部
２６    第２交流フィルタ
２７    第２インダクタ
１１０    振動感知部
１３０    減衰制御部
１５０    信号出力部
１３１    第１減衰制御部
１３２    第２減衰制御部
Ｃ１    第１キャパシタ
Ｃ２    第２キャパシタ
Ｍ１    第１測定部
Ｍ３    第２測定部
Ｍ４    第６測定部Ｍ４
Ｍ６    第５測定部Ｍ６
Ｍ７    第３測定部Ｍ７
Ｍ８    第４測定部
Ｗ１、Ｗ２    直流送電線路
【図１】
2015220984.tif 000003
【図２】
2015220984.tif 000004
【図３】
2015220984.tif 000005
【図４】
2015220984.tif 000006
【図５】
2015220984.tif 000007